(57)【要約】【課題】接道を有する駐車場や工事現場など敷地を有効的に利用して景観を向上させるとともに、街に賑わいを高めることができる。【解決手段】２方向に延在する道路２に接して設けられる駐車場１にユニット化された複数のユニット店舗１０（１０Ａ〜１０Ｅ）を配置し、このユニット店舗１０を駐車場１の接道部分に沿って配置する構成をなし、隣り合うユニット店舗１０、１０同士は、回転自在な連結部を介して接続された構成のユニット店舗システムを提供する。【選択図】図１
2013159972.tif 000002
【特許請求の範囲】
【請求項１】
道路に接して設けられる敷地にユニット化されたユニット店舗を配置したユニット店舗システムであって、
前記ユニット店舗は、前記敷地の接道部分に沿って配置されていることを特徴とするユニット店舗システム。
【請求項２】
前記敷地は、前記道路が交差する角地に設けられており、
前記ユニット店舗は、前記道路の交差点に接する前記敷地の角部に沿って平面視Ｌ字状に配置されていることを特徴とする請求項１に記載のユニット店舗システム。
【請求項３】
隣り合う前記ユニット店舗同士は、回転自在な連結部を介して接続されていることを特徴とする請求項１又は２に記載のユニット店舗システム。
【発明の詳細な説明】
【技術分野】
【０００１】
本発明は、駐車場や工事現場などの敷地を利用したユニット店舗システムに関する。
【背景技術】
【０００２】
従来、都心部に設けられている平置駐車場は、単なる駐車スペースとしての空間となっていることが多い。また、ビル等の建物の工事現場においては、道路に面する部分に仮囲い塀が設置されているのが一般的である（例えば、特許文献１参照）。
【先行技術文献】
【特許文献】
【０００３】
【特許文献１】特開平９−４２８２号公報
【発明の概要】
【発明が解決しようとする課題】
【０００４】
しかしながら、上述したような駐車場や工事現場などの敷地が設けられると、その箇所において街の賑わいが失われるとともに、街の景観も低下するという問題があった。
また、駐車場や工事現場などは暫定的に設置されるケースが多く、その敷地の一部を他の目的で利用が難しく、その点で改善の余地があった。
【０００５】
本発明は、上述する問題点に鑑みてなされたもので、接道を有する駐車場や工事現場など敷地を有効的に利用して景観を向上させるとともに、街に賑わいを高めることができるユニット店舗システムを提供することを目的とする。
【課題を解決するための手段】
【０００６】
上記目的を達成するため、本発明に係るユニット店舗システムでは、道路に接して設けられる敷地にユニット化されたユニット店舗を配置したユニット店舗システムであって、  ユニット店舗は、敷地の接道部分に沿って配置されていることを特徴としている。
【０００７】
本発明では、例えば駐車場や工事現場などの敷地の接道部分を利用して簡単なユニット構造のユニット店舗を配置することができる。そのため、例えば弁当や飲料などを販売する店舗を配置することができ、単なる殺風景な敷地ではなくなるので、街の景観を向上させることができ、街に賑わいをもたせることができる。
また、簡単な構造のユニット店舗であるので、敷地に配置するユニット店舗の組み合わせを変更したり、増減したり、あるいは配置替えることを容易に行うことができる。例えば工事現場などの場合には、工事の進捗に合わせてユニット店舗の位置を適宜移動させることも容易に且つ短時間で行うことができるという利点もある。
【０００８】
また、本発明に係るユニット店舗システムでは、敷地は、道路が交差する角地に設けられており、ユニット店舗は、道路の交差点に接する敷地の角部に沿って平面視Ｌ字状に配置されていてもよい。
【０００９】
また、本発明に係るユニット店舗システムでは、隣り合うユニット店舗同士は、回転自在な連結部を介して接続されていることが好ましい。
【００１０】
この場合、隣り合うユニット店舗同士を連結部によって接続した状態のまま、互いに任意の異なる方向に向けて配置させて接続することができる。
【発明の効果】
【００１１】
本発明のユニット店舗システムによれば、駐車場や工事現場など敷地の接道部分を有効的に利用して簡単な構成のユニット店舗を配置することで、景観を向上させることができるうえ、街に賑わいを高めることができるという効果を奏する。
【図面の簡単な説明】
【００１２】
【図１】本発明の実施の形態によるユニット店舗システムの概要を示す斜視図である。
【図２】ユニット店舗システムの平面図である。
【図３】駐車場の角部に設けられるユニット店舗同士の連結状態を示す斜視図である。
【図４】（ａ）、（ｂ）は、変形例１によるユニット店舗システムを示す平面図である。
【図５】変形例２によるユニット店舗システムを示す平面図である。
【図６】変形例３によるユニット店舗システムを示す平面図である。
【図７】変形例４によるユニット店舗システムを示す平面図である。
【発明を実施するための形態】
【００１３】
以下、本発明の実施の形態によるユニット店舗システムについて、図面に基づいて説明する。
【００１４】
図１及び図２に示すように、本実施の形態によるユニット店舗システムは、道路２に接して設けられる駐車場１（敷地）にユニット化された複数のユニット店舗１０（１０Ａ〜１０Ｅ）を配置する構成となっている。駐車場１は、２方向に延在する道路２が交差する交差点の角地に位置し、歩道３に接道している。
【００１５】
ユニット店舗１０は、駐車場１の接道部分１ａ、１ｂにおいて、店舗機能を有するとともに、例えば弁当や飲み物等を販売する営業窓口１１（図３参照））を備え、この営業窓口１１を道路（歩道３）に面して配置させ、具体的には道路２の交差点に接する駐車場１の角部１ｃに沿って平面視Ｌ字状に配置されている。
そして、ユニット店舗１０は、図３に示すように、左右の側面に連結部１２が設けられており、隣接するユニット店舗１０、１０同士が連結されるようになっている。
【００１６】
連結部１２は、隣り合うユニット店舗１０、１０同士を回転自在に接続するものである。左右両側の側面１０ａ、１０ｂには、前面側（営業窓口１１側）と背面側の上下方向の上下部と中間部において、上下方向に貫通する挿通孔を有する筒状継手１３（１３Ａ、１３Ｂ）が設けられている。なお、図３において、符号１３Ａの筒状継手は紙面左側のユニット店舗１０Ｃの一方の側面１０ａに設けられ、符号１３Ｂの筒状継手は紙面右側のユニット店舗１０Ｄの他方の側面１０ｂに設けられている。一方の側面１０ａの筒状継手１３Ａと他方の側面１０ｂの筒状継手１３Ｂは、互いに上下方向にずれた位置に配置されている。そして、筒状継手１３Ａ、１３Ｂには、棒状部材１４（１４Ａ，１４Ｂ）が同軸に且つ回転可能に差し込まれている。
【００１７】
図３において、駐車場１の角部１ｃに配置される一対のユニット店舗１０Ｃ、１０Ｄ同士は、背面側の筒状継手１３Ａ、１３Ｂがそれぞれ１本の棒状部材１４Ａに挿通して連結され、この棒状部材１４Ａを回転軸にして回転させた状態で接続され、それぞれの長手方向の向きが略９０度で交差する異なった方向に向けて配置されている。
一方、前面側の筒状継手１３Ａ、１３Ｂには、それぞれ別々に棒状部材１４Ｂが挿入されており、その棒状部材１４Ｂ同士を橋渡しするように略水平方向に延在する繋ぎ材４が設けられ、この繋ぎ材４に囲い塀５が設けられている。この囲い塀５は、例えば看板として使用することができる。
また、同じ方向に向けて並ぶユニット店舗１０同士は、図示しないが、前面側および背面側のそれぞれ筒状継手１３Ａ、１３Ｂが棒状部材１４Ａ、１４Ｂで連結されている。
【００１８】
次に、上述したユニット店舗システムの作用について説明する。
本ユニット店舗システムでは、図１および図２に示すように、駐車場１の接道部分１ａ、１ｂを利用して簡単なユニット構造の複数のユニット店舗１０（１０Ａ〜１０Ｅ）を配置することができる。そのため、例えば弁当や飲料などを販売する店舗を配置することができ、単なる殺風景な敷地ではなくなるので、街の景観を向上させることができ、街に賑わいをもたせることができる。
【００１９】
また、簡単な構造のユニット店舗１０であるので、駐車場１に配置するユニット店舗１０の組み合わせを変更したり、増減したり、あるいは配置替えることを容易に行うことができる。例えば、本実施の形態では敷地を駐車場１とした一例としているが、敷地が工事現場などの場合には、工事の進捗に合わせてユニット店舗１０の位置を適宜移動させることも容易に且つ短時間で行うことができる。
また、図３に示すように、ユニット店舗１０同士が回転自在な連結部１２を介して接続される構成であるので、隣り合うユニット店舗１０同士を連結部１２によって接続した状態のまま、互いに任意の異なる方向に向けて配置させて接続することができる。
【００２０】
上述のように本実施の形態によるユニット店舗システムでは、駐車場１の接道部分１ａ、１ｂを有効的に利用して簡単な構成のユニット店舗１０を配置することで、景観を向上させることができるうえ、街に賑わいを高めることができるという効果を奏する。
【００２１】
以上、本発明によるユニット店舗システムの実施の形態について説明したが、本発明は上記の実施の形態に限定されるものではなく、その趣旨を逸脱しない範囲で適宜変更可能である。
例えば、本実施の形態では駐車場１の角部１ｃにおいてユニット店舗１０、１０同士が直角に配置されているが、これに限定されることはない。例えば、図４（ａ）、（ｂ）に示すように、敷地である駐車場１の角部１ｃが直角でなく、鋭角あるいは鈍角となる２面接道である場合においても、図３に示す背面側の棒状部材１４Ａを回転軸にしてその角部１ｃを挟んだ両側に位置する両ユニット店舗１０の接続角度（開き）を駐車場１の角部１ｃに合わせて回転させて配置することができる。
【００２２】
また、本実施の形態では敷地（駐車場１）が２面接道の場合を対象としているが、２面接道であることに制限されることはない。例えば図５に示すように１面接道（接道部分１ａ）の敷地（駐車場１Ａ）のの場合、図６に示すように３面接道（接道部分１ａ、１ｂ、１ｄ）の敷地（駐車場１Ｂ）の場合、及び図７に示すように４面接道（接道部分１ａ、１ｂ、１ｄ、１ｅ）の敷地（駐車場１Ｃ）の場合にも適用することが可能である。
なお、図６に示すように接道部分１ａ、１ｂ、１ｄのほぼ全範囲にユニット店舗１０を配置せず、部分的に囲い塀と組み合わせることも可能である。
そして、敷地に配置するユニット店舗１０の数量も適宜設定することが可能である。
【００２３】
さらに、本実施の形態ではユニット店舗１０を設ける敷地を駐車場１としているが、工事現場、公園、広場、空き地等の敷地に適用することが可能である。そして、本ユニット店舗システムが、複数のユニット店舗１０を適宜組み合わせて配置する構成であることから、敷地の形状に対応することができる。
【００２４】
さらにまた、ユニット店舗１０として、本実施の形態のような営業窓口１１を有しない店舗、すなわち展示を目的とするギャラリーや仮事務所などであってもかまわない。
【００２５】
また、本実施の形態ではユニット店舗１０の側面１０ａ、１０ｂに連結部１２を備えた構成としているが、連結部１２として本実施の形態のように筒状継手１３と棒状部材１４からなる構成に限定されることはなく、他の連結構造としても良い。そして、この連結部１２は省略することも可能である。
【００２６】
その他、本発明の趣旨を逸脱しない範囲で、上記した実施の形態における構成要素を周知の構成要素に置き換えることは適宜可能である。
【符号の説明】
【００２７】
１  駐車場（敷地）
１ａ、１ｂ、１ｃ、１ｄ。１ｅ  接道部分
１ｃ  角部
２  道路
３  歩道
１０、１０Ａ〜１０Ｅ  ユニット店舗
１１  営業窓口
１２  連結部
１３、１３Ａ、１３Ｂ  筒状継手
１４、１４Ａ、１４Ｂ  棒状部材
【図１】
2013159972.tif 000003
【図２】
2013159972.tif 000004
【図３】
2013159972.tif 000005
【図４】
2013159972.tif 000006
【図５】
2013159972.tif 000007
【図６】
2013159972.tif 000008
【図７】
2013159972.tif 000009